(57)【要約】  本発明は、同期キャリアの選択方法および装置、コンピュータ記憶媒体を開示し、前記方法は、端末が、複数のキャリアから少なくとも２つの同期キャリアを決定することであって、前記同期キャリアは同期情報を有することと、前記端末が、前記少なくとも２つの同期キャリアの参照情報に基づいて、前記少なくとも２つの同期キャリアの中から第１の同期キャリアを選択することであって、前記第１の同期キャリアは、前記複数のキャリアの各キャリアに第１の同期キャリアを提供するために使用され、前記複数のキャリアが前記第１の同期情報に基づいてデータを同期的に伝送するようにすることとを含む。
2021516516.tif 000002
【特許請求の範囲】
【請求項１】
同期キャリアの選択方法であって、
端末が、複数のキャリアから少なくとも２つの同期キャリアを決定することであって、前記同期キャリアは同期情報を有することと、
前記端末が、前記少なくとも２つの同期キャリアの参照情報に基づいて、前記少なくとも２つの同期キャリアの中から第１の同期キャリアを選択することであって、前記第１の同期キャリアは、前記複数のキャリアの各キャリアに第１の同期キャリアを提供して、前記複数のキャリアが前記第１の同期情報に基づいてデータを同期的に伝送するようにするために使用されることとを含む、前記同期キャリアの選択方法。
【請求項２】
前記同期キャリアの参照情報は、
前記同期キャリアの同期情報の優先度、前記同期キャリアの優先度、前記同期キャリアのチャネル占有率（ＣＢＲ）のうちの少なくとも１つを含む、
請求項１に記載の同期キャリアの選択方法。
【請求項３】
前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアの同期情報の優先度に基づいて、前記少なくとも２つの同期キャリアの中で最も優先度の高い同期キャリアを選択して、前記第１の同期キャリアとして使用することを含む、
請求項２に記載の同期キャリアの選択方法。
【請求項４】
前記方法は、
前記端末が、基地局の構成情報および／または事前構成情報に従って、前記少なくとも２つの同期キャリアの同期情報の優先度を決定することをさらに含む、
請求項３に記載の同期キャリアの選択方法。
【請求項５】
前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアの優先度に基づいて、前記少なくとも２つの同期キャリアの中で最も優先度の高い同期キャリアを選択して、前記第１の同期キャリアとして使用することを含む、
請求項２に記載の同期キャリアの選択方法。
【請求項６】
前記少なくとも２つの同期キャリアで、プライマリキャリアとして使用される同期キャリアの優先度は最も高い、
請求項５に記載の同期キャリアの選択方法。
【請求項７】
前記少なくとも２つの同期キャリアで、サービス優先度の値が最も低い同期キャリアの優先度は最も高い、
請求項５に記載の同期キャリアの選択方法。
【請求項８】
前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアのＣＢＲに基づいて、前記少なくとも２つの同期キャリアの中でＣＢＲが最も低い同期キャリアを選択して、前記第１の同期キャリアとして使用することを含む、
請求項２に記載の同期キャリアの選択方法。
【請求項９】
前記同期キャリアの同期情報は、
グローバルナビゲーション衛星システム（ＧＮＳＳ）に基づく時刻同期情報および／または周波数同期情報、
基地局に基づく時刻同期情報および／または周波数同期情報、
端末に基づく時刻同期情報および／または周波数同期情報のうちの１つである、
請求項１ないし８のいずれか一項に記載の同期キャリアの選択方法。
【請求項１０】
同期キャリア選択装置であって、
複数のキャリアから少なくとも２つの同期キャリアを決定するように構成される第１の決定ユニットであって、前記同期キャリアは同期情報を有する第１の決定ユニットと、
前記少なくとも２つの同期キャリアの参照情報に基づいて、前記少なくとも２つの同期キャリアの中から第１の同期キャリアを選択するように構成される選択ユニットであって、前記第１の同期キャリアは、前記複数のキャリアの各キャリアに第１の同期キャリアを提供して、前記複数のキャリアが前記第１の同期情報に基づいてデータを同期的に伝送するようにするために使用される選択ユニットとを含む、前記同期キャリア選択装置。
【請求項１１】
前記同期キャリアの参照情報は、
前記同期キャリアの同期情報の優先度、前記同期キャリアの優先度、前記同期キャリアのＣＢＲのうちの少なくとも１つを含む、
請求項１０に記載の同期キャリア選択装置。
【請求項１２】
前記選択ユニットは、前記少なくとも２つの同期キャリアの同期情報の優先度に基づいて、前記少なくとも２つの同期キャリアの中で最も優先度の高い同期キャリアを選択して、前記第１の同期キャリアとして使用するように構成される、
請求項１１に記載の同期キャリア選択装置。
【請求項１３】
前記装置は、
基地局の構成情報および／または事前構成情報に従って、前記少なくとも２つの同期キャリアの同期情報の優先度を決定するように構成される第２の決定ユニットをさらに含む、
請求項１２に記載の同期キャリア選択装置。
【請求項１４】
前記選択ユニットは、前記少なくとも２つの同期キャリアの優先度に基づいて、前記少なくとも２つの同期キャリアの中で最も優先度の高い同期キャリアを選択して、前記第１の同期キャリアとして使用するように構成される、
請求項１１に記載の同期キャリア選択装置。
【請求項１５】
前記少なくとも２つの同期キャリアで、プライマリキャリアとして使用される同期キャリアの優先度は最も高い、
請求項１４に記載の同期キャリア選択装置。
【請求項１６】
前記少なくとも２つの同期キャリアで、サービス優先度の値が最も低い同期キャリアの優先度は最も高い、
請求項１４に記載の同期キャリア選択装置。
【請求項１７】
前記選択ユニットは、前記少なくとも２つの同期キャリアのＣＢＲに基づいて、前記少なくとも２つの同期キャリアの中でＣＢＲが最も低い同期キャリアを選択して、前記第１の同期キャリアとして使用するように構成される、
請求項１１に記載の同期キャリア選択装置。
【請求項１８】
前記同期キャリアの同期情報は、
ＧＮＳＳに基づく時刻同期情報および／または周波数同期情報、
基地局に基づく時刻同期情報および／または周波数同期情報、
端末に基づく時刻同期情報および／または周波数同期情報のうちの１つである、
請求項１０ないし１７のいずれか一項に記載の同期キャリア選択装置。
【請求項１９】
コンピュータ記憶媒体であって、
コンピュータ実行可能な命令が記憶され、前記コンピュータ実行可能な命令がプロセッサによって実行される時に、請求項１ないし９のいずれか一項に記載の方法が実現される、前記コンピュータ記憶媒体。
【発明の詳細な説明】
【技術分野】
【０００１】
本発明は、無線通信技術分野に関し、特に、同期キャリアの選択方法、コンピュータ記憶媒体に関する。
【背景技術】
【０００２】
車両インターネットシステムは、ロングタームエボリューション（ＬＴＥ：Ｌｏｎｇ  Ｔｅｒｍ  Ｅｖｏｌｕｔｉｏｎ）−デバイスからデバイス（Ｄ２Ｄ：Ｄｅｖｉｃｅ  ｔｏ  Ｄｅｖｉｃｅ）に基づくサイドリンク（ＳＬ：ＳｉｄｅＬｉｎｋ）伝送技術を使用し、基地局を介して通信データを受信または送信する従来のＬＴＥシステムの方式とは異なって、車両インターネットシステムは、端末間の直接な通信方式を使用するため、スペクトル効率が高く、伝送遅延も低い。
【０００３】
第三世代パートナーシッププロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）Ｒｅｌ−１４では、ビークルツーエブリシング（Ｖ２Ｘ：Ｖｅｈｉｃｌｅ  ｔｏ  Ｅｖｅｒｙｔｈｉｎｇ）を標準化し、モード３およびモード４、この２つの伝送モードを定義する。モード３では、端末の伝送リソースは基地局によって割り当てられる。モード４では、端末は検知（ｓｅｎｓｉｎｇ）＋予約（ｒｅｓｅｒｖａｔｉｏｎ）の方式を採用して伝送リソースを決定する。
【０００４】
Ｒｅｌ−１５車両インターネットシステムでは、複数のキャリア伝送解決策が導入され、端末のデータは１つまたは複数のキャリアで伝送することができる。データを伝送するために、端末が複数のキャリアを選択し、これらの複数のキャリアの中で少なくとも２つのキャリア全てが同期キャリアとして使用されることができるとすると、端末がどうやって同期キャリアを選択するのかは解決すべきな問題である。
【発明の概要】
【発明が解決しようとする課題】
【０００５】
上記の技術的課題を解決するために、本発明の実施例は、同期キャリアの選択方法および装置、コンピュータ記憶媒体を提供する。
【課題を解決するための手段】
【０００６】
本発明の実施例によって提供される同期キャリアの選択方法は、
端末が、複数のキャリアから少なくとも２つの同期キャリアを決定することであって、前記同期キャリアは同期情報を有することと、
前記端末が、前記少なくとも２つの同期キャリアの参照情報に基づいて、前記少なくとも２つの同期キャリアの中から第１の同期キャリアを選択することであって、前記第１の同期キャリアは、前記複数のキャリアの各キャリアに第１の同期キャリアを提供して、前記複数のキャリアが前記第１の同期情報に基づいてデータを同期的に伝送するようにするために使用されることとを含む。
【０００７】
本発明の実施例において、前記同期キャリアの参照情報は、
前記同期キャリアの同期情報の優先度、前記同期キャリアの優先度、前記同期キャリアのチャネル占有率（ＣＢＲ：Ｃｈａｎｎｅｌ  Ｂｕｓｙ  Ｒａｔｉｏ）のうちの少なくとも１つを含む。
【０００８】
本発明の実施例において、前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアの同期情報の優先度に基づいて、前記少なくとも２つの同期キャリアの中で最も優先度の高い同期キャリアを選択して、前記第１の同期キャリアとして使用することを含む。
【０００９】
本発明の実施例において、前記方法は、
前記端末が、基地局の構成情報および／または事前構成情報に従って、前記少なくとも２つの同期キャリアの同期情報の優先度を決定することをさらに含む。
【００１０】
本発明の実施例において、前記端末が、前記少なくとも２つの同期キャリアの参照情報に基づいて、前記少なくとも２つの同期キャリアの中から第１の同期キャリアを選択することは
前記端末が、前記少なくとも２つの同期キャリアの優先度に基づいて、前記少なくとも２つの同期キャリアの中で最も優先度の高い同期キャリアを選択して、前記第１の同期キャリアとして使用することを含む。
【００１１】
本発明の実施例において、前記少なくとも２つの同期キャリアで、プライマリキャリアとして使用される同期キャリアの優先度は最も高い。
【００１２】
本発明の実施例において、前記少なくとも２つの同期キャリアで、サービス優先度の値が最も低い同期キャリアの優先度は最も高い。
【００１３】
本発明の実施例において、前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアのＣＢＲに基づいて、前記少なくとも２つの同期キャリアの中でＣＢＲが最も低い同期キャリアを選択して、前記第１の同期キャリアとして使用することを含む。
【００１４】
本発明の実施例において、前記同期キャリアの同期情報は、
グローバルナビゲーション衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）に基づく時刻同期情報および／または周波数同期情報、
基地局に基づく時刻同期情報および／または周波数同期情報、
端末に基づく時刻同期情報および／または周波数同期情報のうちの１つである。
【００１５】
本発明の実施例によって提供される同期キャリア選択装置は、
複数のキャリアから少なくとも２つの同期キャリアを決定するように構成される第１の決定ユニットであって、前記同期キャリアは同期情報を有する第１の決定ユニットと、
前記少なくとも２つの同期キャリアの参照情報に基づいて、前記少なくとも２つの同期キャリアの中から第１の同期キャリアを選択するように構成される選択ユニットであって、前記第１の同期キャリアは、前記複数のキャリアの各キャリアに第１の同期キャリアを提供して、前記複数のキャリアが前記第１の同期情報に基づいてデータを同期的に伝送するようにするために使用される選択ユニットとを含む。
【００１６】
本発明の実施例において、前記同期キャリアの参照情報は、
前記同期キャリアの同期情報の優先度、前記同期キャリアの優先度、前記同期キャリアのＣＢＲのうちの少なくとも１つを含む。
【００１７】
本発明の実施例において、前記選択ユニットは、前記少なくとも２つの同期キャリアの同期情報の優先度に基づいて、前記少なくとも２つの同期キャリアの中で最も優先度の高い同期キャリアを選択して、前記第１の同期キャリアとして使用するように構成される。
【００１８】
本発明の実施例において、前記装置は、
基地局の構成情報および／または事前構成情報に従って、前記少なくとも２つの同期キャリアの同期情報の優先度を決定するように構成される第２の決定ユニットをさらに含む。
【００１９】
本発明の実施例において、前記選択ユニットは、前記少なくとも２つの同期キャリアの優先度に基づいて、前記少なくとも２つの同期キャリアの中で最も優先度の高い同期キャリアを選択して、前記第１の同期キャリアとして使用するように構成される。
【００２０】
本発明の実施例において、前記少なくとも２つの同期キャリアで、プライマリキャリアとして使用される同期キャリアの優先度は最も高い。
【００２１】
本発明の実施例において、前記少なくとも２つの同期キャリアで、サービス優先度の値が最も低い同期キャリアの優先度は最も高い。
【００２２】
本発明の実施例において、前記選択ユニットは、前記少なくとも２つの同期キャリアのＣＢＲに基づいて、前記少なくとも２つの同期キャリアの中でＣＢＲが最も低い同期キャリアを選択して、前記第１の同期キャリアとして使用するように構成される。
【００２３】
本発明の実施例において、前記同期キャリアの同期情報は、
ＧＮＳＳに基づく時刻同期情報および／または周波数同期情報、
基地局に基づく時刻同期情報および／または周波数同期情報、
端末に基づく時刻同期情報および／または周波数同期情報のうちの１つである。
【００２４】
本発明の実施例はよって提供されるコンピュータ記憶媒体は、コンピュータ実行可能な命令が記憶され、前記コンピュータ実行可能な命令がプロセッサによって実行される時に、前記同期キャリアの選択方法を実現する。
【００２５】
本発明の実施例の技術的解決策において、端末は、複数のキャリアから少なくとも２つの同期キャリアを決定し、前記同期キャリアは同期情報を有し、前記端末は、前記少なくとも２つの同期キャリアの参照情報に基づいて、前記少なくとも２つの同期キャリアの中から第１の同期キャリアを選択し、前記第１の同期キャリアは、前記複数のキャリアの各キャリアに第１の同期キャリアを提供して、前記複数のキャリアが前記第１の同期情報に基づいてデータを同期的に伝送するようにするために使用される。本発明の実施例の技術的解決策を使用して、データを伝送するために、端末は複数のキャリアを選択し、これらの複数のキャリアの中で少なくとも２つのキャリアは同期キャリアとして使用されることができるとすると、端末は、各同期キャリアの参照情報に従って、１つの同期キャリア（即ち、第１の同期キャリア）を選択することができ、前記同期キャリアは他のキャリアのために同期情報（即ち、第１の同期情報）を提供し、このように、複数のキャリアは前記同期情報に基づいて、データを同期的に伝送することができる。
【図面の簡単な説明】
【００２６】
ここで説明される図面は、本発明をさらに理解するために提供され、本出願の一部を構成し、本発明の例示的な実施例およびそれらの説明は、本発明を説明するために使用され、本発明に対する不適切な限定を構成しない。図面において、
【図１】車両インターネットのモード３のシナリオの概略図である。
【図２】車両インターネットのモード４のシナリオの概略図である。
【図３】本発明の実施例の同期キャリアの選択方法の例示的なフローチャートである。
【図４】本発明の実施例の同期キャリアの選択方法の例示的な構成の構造図である。
【図５】本発明の実施例のコンピュータ機器の例示的な構成の構造図である。
【発明を実施するための形態】
【００２７】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００２８】
本発明の実施例の技術案を理解しやすくするため、以下、車両インターネットのモード３およびモード４のそれぞれに対して説明をする。
【００２９】
モード３：図１に示されたように、車載端末の伝送リソースは基地局（ＬＴＥの進化基地局（ｅＮＢ：ｅｖｏｌｖｅｄ  ＮｏｄｅＢ）など）によって割り当て、具体的に、基地局は、ダウンリング（ＤＬ：Ｄｏｗｎ  Ｌｉｎｋ）を介して車載端末に許可（Ｇｒａｎｔ）リソースを指示するために使用される制御メッセージを送信し、その後、車載端末は、基地局によって割り当てられたリソースに従って、ＳＬでデータを送信する。モード３において、基地局は、車載端末に単一的に伝送するリソースを割り当てることができ、端末に準静的伝送するリソースを割り当てることもできる。
【００３０】
モード４：図２に示されたように、車載端末は、検知＋予約の伝送方式を採用する。車載端末は、リソースプールで検知の方式で利用可能な伝送リソースセットを取得し、車載端末は、前記伝送リソースセットから１つのリソースをランダムに選択してデータを伝送する。車両インターネットシステムにおけるサービスには周期的な特徴があるため、車載端末は通常に準静的に伝送方式を採用し、即ち、車載端末が１つの伝送リソースを選択した後、複数の伝送周期の中で前記リソースを継続的に使用することにより、リソース再選択およびリソースの競合の確率を低下させる。車載端末は、現在伝送の制御情報に次回の伝送リソースの情報を予約する情報を搬送するため、他の端末は、前記車載端末の制御情報を検出することにより、このリソースが前記車載端末によって予約及び使用されるかどうかを判断することができ、リソース競合を減らす目的を達成する。
【００３１】
ＬＴＥ−Ｖ２Ｘでは、モード３を使用して、車載端末の伝送リソースが基地局によって割り当てられることを示し、モード４を使用して、車載端末の伝送リソースが端末によって独立して選択されることを示し、ニューラジオ−車両インターネット技術（ＮＲ−Ｖ２Ｘ：Ｎｅｗ  Ｒａｄｉｏ−Ｖｅｈｉｃｌｅ−ｔｏ−Ｅｖｅｒｙｔｈｉｎｇ）では、新しい伝送モードを定義することができ、本発明はこれらに限定されないことを留意されたい。
【００３２】
本発明の実施例の技術案は、データを伝送するために端末が複数のキャリアを選択し、これらの複数のキャリアで少なくとも２つのキャリアが同期キャリアとして使用されることができるとすると、具体的に、端末は各同期キャリアの参照情報（同期キャリアの同期情報の優先度、および／または同期キャリアの優先度、および／または同期キャリアのＣＢＲ）に基づいて、同期キャリアを選択する。
【００３３】
本発明の実施例のすべての技術案は、車両インターネットシステムに適用されるだけでなく、他の端から端通信システムに適用されることができ、本発明の実施例の前記端末は、車載端末、ハンドヘルド端末、ポケットコンピュータ（ＰＤＡ：Ｐｅｒｓｏｎａｌ  Ｄｉｇｉｔａｌ  Ａｓｓｉｓｔａｎｔ）、ウェアラブル端末などであってもよく、本発明の実施例の前記ネットワークはＮＲネットワーク、ＬＴＥネットワークなどであってもよい。
【００３４】
図３は、本発明の実施例の同期キャリアの選択方法の例示的なフローチャートであり、図３に示されたように、前記同期キャリアの選択方法は、次のステップを含む。
【００３５】
ステップ３０１において、端末は、複数のキャリアから少なくとも２つの同期キャリアを決定し、前記同期キャリアは同期情報を有する。
【００３６】
本発明の実施例において、端末は複数のキャリアを使用してデータを伝送し、具体的に実現する時、端末はモード３を通じて伝送リソースを取得してもよく、モード４を通じて伝送リソースを取得してもよい。
【００３７】
本発明の実施例において、前記複数のキャリアで少なくとも２つのキャリアは同期キャリアとして使用されることができ、ここで、前記同期キャリアはキャリア上で同期情報を有するキャリアを指す。
【００３８】
一実施形態において、前記同期キャリアの同期情報（同期リソースとも称される）は、ＧＮＳＳに基づく時刻同期情報および／または周波数同期情報であってもよく、基地局に基づく時刻同期情報および／または周波数同期情報であってもよく、端末に基づく時刻同期情報および／または周波数同期情報であってもよい。
【００３９】
同期キャリアの同期情報は、他のキャリアに時刻同期情報および／または周波数同期情報を提供して、複数のキャリアのデータの同期伝送を実現するために使用される。
【００４０】
ステップ３０２において、前記端末は、前記少なくとも２つの同期キャリアの参照情報に基づいて、前記少なくとも２つの同期キャリアの中から第１の同期キャリアを選択し、前記第１の同期キャリアは、前記複数のキャリアの各キャリアに第１の同期キャリアを提供して、前記複数のキャリアが前記第１の同期情報に基づいてデータを同期的に伝送するようにするために使用される。
【００４１】
本発明の実施例において、前記同期キャリアの参照情報は、
前記同期キャリアの同期情報の優先度、前記同期キャリアの優先度、前記同期キャリアのＣＢＲのうちの少なくとも１つを含む。
【００４２】
端末は、前記１つのタイプの同期キャリアの参照情報に基づいて、前記少なくとも２つの同期キャリアから第１の同期キャリアを選択してもよく、前記２つのタイプの同期キャリアの参照情報に基づいて、前記少なくとも２つの同期キャリアから第１の同期キャリアを選択してもよく、または、前記３つのタイプの同期キャリアの参照情報に基づいて、前記少なくとも２つの同期キャリアから第１の同期キャリアを選択してもよいことを理解されたい。
【００４３】
以下、異なる同期キャリアの参照情報をそれぞれ組み合わせて、本発明の実施例の同期キャリアの選択の解決策を説明する。
【００４４】
１）同期キャリアの参照情報は同期情報の優先度である。
【００４５】
前記端末は、前記少なくとも２つの同期キャリアの同期情報の優先度に基づいて、前記少なくとも２つの同期キャリアの中で最も優先度の高い同期キャリアを選択して、前記第１の同期キャリアとして使用することを含む。
【００４６】
一実施形態において、基地局の構成情報および／または事前構成情報に従って、前記少なくとも２つの同期キャリアの同期情報の優先度を決定する。
【００４７】
具体的に実現する時、同期キャリアの同期情報は、主に、ＧＮＳＳに基づく同期情報（時刻同期情報および／または周波数同期情報）、基地局に基づく同期情報（時刻同期情報および／または周波数同期情報）、端末に基づく同期情報（時刻同期情報および／または周波数同期情報）、この３つのタイプに分けられ、ここで、端末に基づく同期情報の優先度は最も低い。
【００４８】
セルカバレッジがある場合、基地局は、ＧＮＳＳに基づく同期情報の優先度が基地局に基づく基地局の同期情報より高く、または、基地局に基づく同期情報の優先度がＧＮＳＳに基づく同期情報より高いように構成されることができ、セルカバレッジがない場合、基地局に基づく同期情報はいないことを留意されたい。
【００４９】
異なる同期キャリアは異なる同期情報を有し、例えば、端末はキャリア１およびキャリア２を使用してデータを伝送し、ここで、キャリア１の同期情報はＧＮＳＳに基づく同期情報であり、キャリア２の同期情報は端末に基づく同期情報であり、この場合、端末は同期情報の優先度に従って、キャリア１を同期キャリアとして選択する。
【００５０】
２）同期キャリアの参照情報は同期キャリアの優先度である。
【００５１】
前記端末は、前記少なくとも２つの同期キャリアの優先度に基づいて、前記少なくとも２つの同期キャリアの中で最も優先度の高い同期キャリアを選択して、前記第１の同期キャリアとして使用することを含む。
【００５２】
２．１）一実施形態において、前記少なくとも２つの同期キャリアで、プライマリキャリアとして使用される同期キャリアの優先度は最も高い。
【００５３】
具体的に実現する時、端末によってデータ伝送される複数のキャリアにはプライマリキャリア（またはアンカーキャリアと称する）が含まれ、前記プライマリキャリアは同期情報を有し、前記端末は前記プライマリキャリアを同期情報として選択する。
【００５４】
ここで、プライマリキャリア（またはアンカーキャリアと称する）は、すべての端末がこのキャリア上でデータの受信および／または送信を行うことを指し、例えば、前記プライマリキャリアは、３ＧＰＰ  Ｒｅｌ−１４でブロードキャストメッセージを伝送するために使用されるキャリアであってもよく、下位互換性を確保するために、後続バージョンの端末は、前記キャリアでデータを受信および／または前記キャリアでデータを送信する必要がある。
【００５５】
２．２）一実施形態において、前記少なくとも２つの同期キャリアで、サービス優先度の値が最も低い同期キャリアの優先度は最も高い。
【００５６】
具体的に実現する時、異なるキャリアは異なるサービス優先度に対応し、端末は複数のキャリアから最も高い優先度のキャリアを同期キャリアとして選択する。例えば、端末は、キャリア１およびキャリア２を使用してデータを伝送し、キャリア１に対応するサービス優先度の値は２であり、キャリア２に対応するサービス優先度の値は３であり、端末はキャリア１を同期キャリアとして使用する。サービス優先度の値が低いほど、前記サービス優先度は高いと表し、例えば、近接サービスの各サービスパケットの優先度（ＰＰＰＰ：ＰｒｏＳｅ  Ｐｅｒ−Ｐａｃｋｅｔ  Ｐｒｉｏｒｉｔｙ）の値の範囲は１〜８であり、ＰＰＰＰ＝１の優先度は最も高く、ＰＰＰＰ＝８の優先度は最も低い。
【００５７】
３）同期キャリアの参照情報は同期キャリアのＣＢＲである。
【００５８】
前記端末は、前記少なくとも２つの同期キャリアのＣＢＲに基づいて、前記少なくとも２つの同期キャリアの中でＣＢＲが最も低い同期キャリアを選択して、前記第１の同期キャリアとして使用することを含む。
【００５９】
具体的に実現する時、端末は、各キャリアのＣＢＲを測定することができ、端末は測定されたＣＢＲに従って同期キャリアを選択し、例えば、端末はＣＢＲが最も低いキャリアを同期キャリアとして使用する。
【００６０】
上記の例では、１つのタイプの参照情報のみを同期キャリアを選択する例として使用したが、実際の用途では、２つのタイプまたは３つのタイプの参照情報を組み合わせて同期キャリアを選択することができ、選択原理は変わらない。２つのタイプの参照情報に従って同期キャリアを選択することを例とすると、まず、第１の参照情報に従ってＮ個の同期キャリアの中でＫ個の同期キャリアを選択し、また、第２の参照情報に従って、前記Ｋ個の同期キャリアの中で最終の同期キャリアを選択する。ここで、前記第１の参照情報および第２の参照情報それぞれが前記どのタイプの同期情報に対応するかに対して、本発明は限定されない。例えば、端末はキャリア１、キャリア２およびキャリア２を使用してデータを伝送し、ここで、キャリア１およびキャリア２の同期情報はＧＮＳＳに基づく同期情報であり、キャリア３の同期情報は端末に基づく同期情報であり、まず、端末は同期情報優先度に従って、キャリア１およびキャリア２を同期キャリアとして選択し、次に、端末は同期キャリアのＣＢＲに従って、キャリア１およびキャリア２からより低いＣＢＲのキャリアを同期キャリアとして選択する。
【００６１】
図４は、本発明の実施例の同期キャリアの選択方法の例示的な構成の構造図であり、図４に示されたように、前記装置は、
複数のキャリアから少なくとも２つの同期キャリアを決定するように構成される第１の決定ユニット４０１であって、前記同期キャリアは同期情報を有する第１の決定ユニット４０１と、
前記少なくとも２つの同期キャリアの参照情報に基づいて、前記少なくとも２つの同期キャリアの中から第１の同期キャリアを選択するように構成される選択ユニット４０２であって、前記第１の同期キャリアは、前記複数のキャリアの各キャリアに第１の同期キャリアを提供するために使用され、前記複数のキャリアが前記第１の同期情報に基づいてデータを同期的に伝送するようにする選択ユニット４０２とを含む。
【００６２】
一実施形態において、前記同期キャリアの参照情報は、
前記同期キャリアの同期情報の優先度、前記同期キャリアの優先度、前記同期キャリアのＣＢＲのうちの少なくとも１つを含む。
【００６３】
本発明の実施例において、前記選択ユニット４０２は、前記少なくとも２つの同期キャリアの同期情報の優先度に基づいて、前記少なくとも２つの同期キャリアの中で最も優先度の高い同期キャリアを選択して、前記第１の同期キャリアとして使用するように構成される。
【００６４】
一実施形態において、前記装置は、
基地局の構成情報および／または事前構成情報に従って、前記少なくとも２つの同期キャリアの同期情報の優先度を決定するように構成される第２の決定ユニット４０３をさらに含む。
【００６５】
一実施形態において、前記選択ユニット４０２は、前記少なくとも２つの同期キャリアの優先度に基づいて、前記少なくとも２つの同期キャリアの中で最も優先度の高い同期キャリアを選択して、前記第１の同期キャリアとして使用するように構成される。
【００６６】
一実施形態において、前記少なくとも２つの同期キャリアで、プライマリキャリアとして使用される同期キャリアの優先度は最も高い。
【００６７】
一実施形態において、前記少なくとも２つの同期キャリアで、最も低いサービス優先度の値の同期キャリアの優先度は最も高い。
【００６８】
一実施形態において、前記選択ユニット４０２は、前記少なくとも２つの同期キャリアのＣＢＲに基づいて、前記少なくとも２つの同期キャリアの中でＣＢＲの最も高い同期キャリアを選択し、前記第１の同期キャリアとして使用するように構成される。
【００６９】
一実施形態において、前記同期キャリアの同期情報は、
ＧＮＳＳに基づく時刻同期情報および／または周波数同期情報、
基地局に基づく時刻同期情報および／または周波数同期情報、
端末に基づく時刻同期情報および／または周波数同期情報のうちの１つである。
【００７０】
当業者は、図４に示された同期キャリア選択装置の各ユニットの実現機能が前記同期キャリアの選択方法に関する説明によって理解することができることを理解されたい。図４に示された同期キャリア選択装置の各ユニットの機能は、プロセッサによって実行されるプログラムを介して実現されることができ、具体的な論理回路によって実現されることができる。
【００７１】
本発明の実施例の同期キャリア選択装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質で先行技術に対して貢献のある部分は、ソフトウェア製品の形で具現されることができ、当該コンピュータソフトウェア製品は、１つの記憶媒体に記憶されて、一台のコンピュータ装置（パーソナルコンピュータ、サーバ、またはネットワーク装置等などであリ得る）が本発明の各実施例の前記方法の全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００７２】
対応的に、本発明の実施例は、コンピュータ実行可能な命令が記憶されるコンピュータ記憶媒体をさらに提供し、前記コンピュータ実行可能な命令がプロセッサによって実行される時、本発明の実施例の前記同期キャリアの選択方法が実現される。
【００７３】
図５は、本発明の実施例のコンピュータ機器の例示的な構成の構造図であり、前記コンピュータ機器は任意のタイプの端末であってもよい。図５に示されたように、コンピュータ機器１００は１つまたは複数（図には１つを示す）のプロセッサ１００２（プロセッサ１００２はマイクロプロセッサ（ＭＣＵ：Ｍｉｃｒｏ  Ｃｏｎｔｒｏｌｌｅｒ  Ｕｎｉｔ）またはプログラマブルロジックデバイス（ＦＰＧＡ：Ｆｉｅｌｄ  Ｐｒｏｇｒａｍｍａｂｌｅ  Ｇａｔｅ  Ａｒｒａｙ）などの処理装置を含み得るが、これに限定されない）、データを記憶するように構成されるメモリ１００４、および通信機能用の伝送装置１００６を含むことができる。当業者は、図５に示された構造が単なる例示であり、前記電子装置の構造を限定しないことを理解することができる。例えば、コンピュータ機器１００は、図５に示されるものより多くまたは少ないコンポーネットコンポーネットを含み得るか、図５に示されるものとは異なる構成を有し得る。
【００７４】
メモリ１００４は、メモリ１００４は、本発明の実施例における方法に対応するプログラム命令／モジュールなどのアプリケーションソフトウェアのソフトウェアプログラムおよびモジュールを記憶するように構成されることができ、プロセッサ１００２は、メモリ１００４に記憶されたソフトウェアプログラムおよびモジュールを実行することによって、様々な機能アプリケーションおよびデータ処理を実行し、即ち、前記方法を実現する。メモリ１００４は、高速ランダムメモリを含むことができ、１つまたは複数の磁気記憶装置、フラッシュメモリ、または他の不揮発性ソリッドステートメモリなどの不揮発性メモリをさらに含むことができる。いくつかの例において、メモリ１００４は、プロセッサ１００２に対してリモートで設定されたメモリをさらに含むことができ、これらのリモートメモリはネットワークを介してコンピュータ機器１００に接続することができる。前記ネットワークの例は、インターネット、企業イントラネット、ローカルエリアネットワーク、移動通信ネットワークおよびそれらの組み合わせを含むが、これらに限定されない。
【００７５】
伝送装置１００６は、１つのネットワークを介してデータを受信または送信するように構成される。前記ネットワークの具体的な例は、コンピュータ機器１００の通信プロバイダによって提供される無線ネットワークを含むことができる。１つの例において、伝送装置１００６は、基地局を介して他のネットワーク機器に接続することができ、それにより、インターネットと通信することができる１つのネットワークアダプタ（ＮＩＣ：Ｎｅｔｗｏｒｋ  Ｉｎｔｅｒｆａｃｅ  Ｃｏｎｔｒｏｌｌｅｒ）を含む。１つ例において、伝送装置１００６は無線方式を介してインターネットと通信するように構成される無線周波数（ＲＦ：Ｒａｄｉｏ  Ｆｒｅｑｕｅｎｃｙ）ユニットであり得る。
【００７６】
本発明の実施例で説明された技術案は、競合することなく、任意に組み合わせることができる。
【００７７】
本発明によって提供されるいくつかの実施例では、開示されたシステム、装置および方法は、他の方法で実現され得ることを理解されたい。上記で説明された機器実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。加えて、表示または議論される各構成部分の相互結合または直接結合または通信接続は、いくつかのインターフェース、装置またはユニットを介した間接な結合または通信接続であり得、電気的、機械的または他の形態であり得る。
【００７８】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際のニーズに従って、その中の一部またはすべてのユニットを選択して、本実施例の解決策の目的を実現することができる。
【００７９】
さらに、本発明の各実施例における各機能ユニットはすべてを１つの第２の処理ユニットに統合されてもよく、または各ユニットは１つのユニットとして使用されてもよく、２つまたは２つ以上のユニットを１つのユニットに統合してもよく、前記統合されたユニットは、ハードウェアの形で実現されてもよく、ハードウェアとソフトウェア機能ユニットの形で実現されてもよい。
【００８０】
上記で説明したように、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021516516.tif 000003
【図２】
2021516516.tif 000004
【図３】
2021516516.tif 000005
【図４】
2021516516.tif 000006
【図５】
2021516516.tif 000007
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
同期キャリアの選択方法であって、
端末が、複数のキャリアから少なくとも２つの同期キャリアを決定することであって、前記同期キャリアは同期情報を有することと、
前記端末が、前記少なくとも２つの同期キャリアの参照情報に基づいて、前記少なくとも２つの同期キャリアの中から第１の同期キャリアを選択することであって、前記第１の同期キャリアは、前記複数のキャリアの各キャリアに第１の同期キャリアを提供して、前記複数のキャリアが前記第１の同期情報に基づいてデータを同期的に伝送するようにするために使用されることとを含む、前記同期キャリアの選択方法。
【請求項２】
前記少なくとも２つの同期キャリアのそれぞれについて、前記同期キャリアの参照情報は、
前記同期キャリアの同期情報の優先度、前記同期キャリアの優先度、前記同期キャリアのチャネル占有率（ＣＢＲ）のうちの少なくとも１つを含む、
請求項１に記載の同期キャリアの選択方法。
【請求項３】
前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアの同期情報の優先度に基づいて、前記少なくとも２つの同期キャリアの中で最も優先度の高い同期情報を有する同期キャリアを選択して、前記第１の同期キャリアとして使用することを含む、
請求項２に記載の同期キャリアの選択方法。
【請求項４】
前記方法は、
前記端末が、基地局の構成情報および／または事前構成情報に従って、前記少なくとも２つの同期キャリアの同期情報の優先度を決定することをさらに含む、
請求項３に記載の同期キャリアの選択方法。
【請求項５】
前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアの優先度に基づいて、前記少なくとも２つの同期キャリアの中で最も優先度の高い同期情報を有する同期キャリアを選択して、前記第１の同期キャリアとして使用することを含む、
請求項２に記載の同期キャリアの選択方法。
【請求項６】
前記少なくとも２つの同期キャリアで、プライマリキャリアとして使用される同期キャリアの優先度は最も高い、
請求項５に記載の同期キャリアの選択方法。
【請求項７】
前記少なくとも２つの同期キャリアで、サービス優先度の値が最も低い同期キャリアの優先度は最も高い、
請求項５に記載の同期キャリアの選択方法。
【請求項８】
前記端末が、前記少なくとも２つの同期キャリアの参照情報に基づいて、前記少なくとも２つの同期キャリアの中から第１の同期キャリアを選択することは、
前記端末が、前記少なくとも２つの同期キャリアのＣＢＲに基づいて、前記少なくとも２つの同期キャリアの中でＣＢＲが最も低い同期キャリアを選択して、前記第１の同期キャリアとして使用することを含む、
請求項２に記載の同期キャリアの選択方法。
【請求項９】
前記少なくとも２つの同期キャリアのそれぞれについて、前記同期キャリアの同期情報は、
グローバルナビゲーション衛星システム（ＧＮＳＳ）に基づく時刻同期情報および／または周波数同期情報、
基地局に基づく時刻同期情報および／または周波数同期情報、
端末に基づく時刻同期情報および／または周波数同期情報のうちの１つである、
請求項１ないし８のいずれか一項に記載の同期キャリアの選択方法。
【請求項１０】
同期キャリア選択装置であって、
複数のキャリアから少なくとも２つの同期キャリアを決定するように構成される第１の決定ユニットであって、前記同期キャリアは同期情報を有する第１の決定ユニットと、
前記少なくとも２つの同期キャリアの参照情報に基づいて、前記少なくとも２つの同期キャリアの中から第１の同期キャリアを選択するように構成される選択ユニットであって、前記第１の同期キャリアは、前記複数のキャリアの各キャリアに第１の同期キャリアを提供して、前記複数のキャリアが前記第１の同期情報に基づいてデータを同期的に伝送するようにするために使用される選択ユニットとを含む、前記同期キャリア選択装置。
【請求項１１】
前記少なくとも２つの同期キャリアのそれぞれについて、前記同期キャリアの参照情報は、
前記同期キャリアの同期情報の優先度、前記同期キャリアの優先度、前記同期キャリアのＣＢＲのうちの少なくとも１つを含む、
請求項１０に記載の同期キャリア選択装置。
【請求項１２】
前記選択ユニットは、前記少なくとも２つの同期キャリアの同期情報の優先度に基づいて、前記少なくとも２つの同期キャリアの中で最も優先度の高い同期情報を有する同期キャリアを選択して、前記第１の同期キャリアとして使用するように構成される、
請求項１１に記載の同期キャリア選択装置。
【請求項１３】
前記装置は、
基地局の構成情報および／または事前構成情報に従って、前記少なくとも２つの同期キャリアの同期情報の優先度を決定するように構成される第２の決定ユニットをさらに含む、
請求項１２に記載の同期キャリア選択装置。
【請求項１４】
前記選択ユニットは、前記少なくとも２つの同期キャリアの優先度に基づいて、前記少なくとも２つの同期キャリアの中で最も優先度の高い同期情報を有する同期キャリアを選択して、前記第１の同期キャリアとして使用するように構成される、
請求項１１に記載の同期キャリア選択装置。
【請求項１５】
同期キャリア選択装置であって、
データを記憶するためのメモリと、請求項１ないし９のいずれか一項に記載の方法を実行するように構成されるプロセッサとを備える、前記同期キャリア選択装置。
【国際調査報告】
2021516516.tif 000008
2021516516.tif 000009
2021516516.tif 000010
2021516516.tif 000011